(57)【要約】      （修正有）【課題】ブーツファスナーの持ち金具が女性のスカート・ズボンの裾の糸にからみ、スカート・ズボンの裾のほつれの原因になっていたので、特製カバーを取付けることにより、ほつれを防止する。【解決手段】ブーツと同質の皮革を使用したファスナーの持ち手金具カバーにより、ほつれの原因を除去する。【選択図】図１
0003132940.tif 000002
【実用新案登録請求の範囲】
【請求項１】
ブーツ着用時に、スカート・ズボンの裾の糸がファスナーの持ち手金具にからむことによる裾のほつれを防止するカバー
【考案の詳細な説明】
【技術分野】
【０００１】  本考案は、ブーツファスナーの持ち手金具にカバーを取付けるブーツに関するものである。（図１）
【背景技術】
【０００２】  ブーツファスナーの持ち手金具は、カバーなしで取付けられていたので、スカート・ズボンの裾の糸がからみ、スカート・ズボンの裾のほつれの原因となっていた。
なお、「スカート・ズボンの裾のほつれ」とは、ブーツとスカート・ズボンの丈との関係で、ファスナーの持ち手金具にスカート・ズボンの裾の糸がからむことにより、スカート・ズボンの裾の糸が切れること及びつれることをいう。
【考案の開示】
【考案が解決しようとする課題】
【０００３】  殆んどの女性がブーツ使用時に経験しているが、スカート・ズボンの裾の糸がブーツファスナーの持ち手金具にからみ、スカート・ズボンの裾がほつれてしまうというブーツの欠点を解決しようとするものである。
【課題を解決するための手段】
【０００４】  本考案は、ブーツと同質の皮革を使用したカバー（図２）を縫付けか接着剤によりブーツ開口部に固定させ、さらに、当該カバーの裏面にマジックテープを接着し、上記ブーツ本体側のマジックテープに固定させて、ファスナーの持ち手金具をカバーすることにより、スカート・ズボンの裾のほつれを防止するものである。
【考案の効果】
【０００５】  従来、ブーツとスカート・ズボンの丈との関係で、ファスナーにスカート・ズボンの裾の糸がからみ、スカート・ズボン裾がほつれることが多くあったが、上述のカバーにより殆んど防止することができる。
【考案を実施するための最良の形態】
【０００６】  図２に示したように、ブーツファスナーの持ち手金具カバーは、ブーツと同質の皮革とし、その角を糸がからまないように丸くし、裏面にマジックテープを接着して、ブーツの開口部に縫付け又は接着する。一方、ブーツの表面にも接着又は縫付けによりマジックテープを固定させる。こうして、カバーを折り返すことにより、カバーがファスナーの持ち手金具を完全に覆うことができる。
【実施例】
【０００７】  以下、添付図面に従って一実施例を説明する。
ブーツは、通常、着用時に左右内側の靴側部下位から開口部にかけてファスナーにより締めることになるが、ファスナーの持ち手金具が突出するために、スカート・ズボンの裾の糸に絡み、糸を切断、ほつれの原因となる。
［図１］は、ブーツ着用時のファスナー持ち手金具カバーの表の側面図であり、ファスナーの持ち手金具をカバーするように、マジックテープでとめる。
［図２］は、ファスナー開放時にブーツに取付けられたファスナーの持ち手金具カバーの裏の側面図である。
このように、ファスナー持ち手金具カバーの装着によって、ほつれの原因を除去することができる。
【図面の簡単な説明】
【０００８】
【図１】本考案のファスナーの持ち手金具カバーの実施例を示す側面図である。
【図２】ブーツ開口時のファスナー持ち手金具の取り付け状態を示す側面図である。
【図３】ブーツ開口時のファスナー持ち手金具の取り付け状態を示す拡大図である。
【図４】ファスナー持ち手金具カバーの拡大図である。ファスナー持ち手金具カバーの角は、丸みを付け、スカート・ズボンの裾の糸がからまないようにする。マジックテープの取付け位置は、裾の糸を巻き込まないために、右端及び上端を２〜３ｍｍあける。
【符号の説明】
【０００９】    １    ブーツ（左足）
２    ファスナー
３    ファスナー持ち手金具カバー
４    ファスナー持ち手金具
５    ファスナー持ち手金具カバー裏面取付けマジックテープ
６    ブーツ表面取付けマジックテープ
７    ファスナー持ち手金具カバー折曲げ用折れ線（針穴等）
８    ファスナー持ち手金具カバー丸み付き角
９    ファスナー持ち手金具カバー取付け縫い目
【図１】
0003132940.tif 000003
【図２】
0003132940.tif 000004
【図３】
0003132940.tif 000005
【図４】
0003132940.tif 000006
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
ブーツと同質の角を丸くした皮革切片をブーツ開口部に固定させ、裏面のマジックテープ（登録商標）をブーツ本体側のマジックテープ（登録商標）に固定させるファスナーの持ち手金具のカバー
【手続補正２】
【補正対象書類名】明細書
【補正対象項目名】０００４
【補正方法】変更
【補正の内容】
【０００４】  本考案は、ブーツと同質の皮革を使用したカバー（図２）を縫付けか接着剤によりブーツ開口部に固定させ、さらに、当該カバーの裏面にマジックテープ（登録商標）を接着し、上記ブーツ本体側のマジックテープ（登録商標）に固定させて、ファスナーの持ち手金具をカバーすることにより、スカート・ズボンの裾のほつれを防止するものである。
【手続補正３】
【補正対象書類名】明細書
【補正対象項目名】０００６
【補正方法】変更
【補正の内容】
【０００６】  図２に示したように、ブーツファスナーの持ち手金具カバーは、ブーツと同質の皮革とし、その角を糸がからまないように丸くし、裏面にマジックテープ（登録商標）を接着して、ブーツの開口部に縫付け又は接着する。一方、ブーツの表面にも接着又は縫付けによりマジックテープ（登録商標）を固定させる。こうして、カバーを折り返すことにより、カバーがファスナーの持ち手金具を完全に覆うことができる。
【手続補正４】
【補正対象書類名】明細書
【補正対象項目名】０００７
【補正方法】変更
【補正の内容】
【０００７】  以下、添付図面に従って一実施例を説明する。  ブーツは、通常、着用時に左右内側の靴側部下位から開口部にかけてファスナーにより締めることになるが、ファスナーの持ち手金具が突出するために、スカート・ズボンの裾の糸に絡み、糸を切断、ほつれの原因となる。［図１］は、ブーツ着用時のファスナー持ち手金具カバーの表の側面図であり、ファスナーの持ち手金具をカバーするように、マジックテープ（登録商標）でとめる。［図２］は、ファスナー開放時にブーツに取付けられたファスナーの持ち手金具カバーの裏の側面図である。  このように、ファスナー持ち手金具カバーの装着によって、ほつれの原因を除去することができる。
【手続補正５】
【補正対象書類名】明細書
【補正対象項目名】０００９
【補正方法】変更
【補正の内容】
【０００９】  １    ブーツ（左足）  ２    ファスナー  ３    ファスナー持ち手金具カバー  ４    ファスナー持ち手金具  ５    ファスナー持ち手金具カバー裏面取付けマジックテープ（登録商標）  ６    ブーツ表面取付けマジックテープ（登録商標）  ７    ファスナー持ち手金具カバー折曲げ用折れ線（針穴等）  ８    ファスナー持ち手金具カバー丸み付き角  ９    ファスナー持ち手金具カバー取付け縫い目